(57)【要約】      （修正有）【課題】ボールを固定位置に置くことで、次回使用する時に便利なだけでなく、同時にボールが転がって思わぬアクシデントが起こるのを回避する多種球技ボールの収納装飾ラックを提供する。【解決手段】主体台１０と支持部材２０を含む。支持部材２０の一端は主体台上に設置し、支持部材２０の別一端は、外向きに延び、支持部材２０と主体台１０の間はボールを置くためのボール受け空間２０１を形成する。支持部材２０と主体台１０の間にはボール受け空間２０１を形成し、そのボール受け空間２０１にバスケットボール、バレーボール及びサッカーボール等を置く。ボールをボール受け空間２０１内に収納することによって、地面にボールが置かれることで空間を占有される問題とボールが勝手に転がってしまう問題を解決し、環境も更に整う。本考案は各種材質の壁面に適用し、様々な簡易方法で設置し、フック部材３０と槽板で掛合設置、もしくはネジで壁面に固定する。【選択図】図１
0003215677.tif 000002
【実用新案登録請求の範囲】
【請求項１】
主体台と支持部材を含む多種球技ボールの収納装飾ラックにおいて
前記支持部材の一端は主体台上に設置し、支持部材の別一端は、外向きに延び、支持部材と主体台の間はボールを置くためのボール受け空間を形成することを特徴とする多種球技ボールの収納装飾ラック。
【請求項２】
前記主体台の側面は設置槽を凹設し、支持部材は、設置部と支持部を含み、前記設置部は前記設置槽内に挿入して固定し、主体台には固定孔が穿設され、設置部には通孔が穿設され、ネジで固定孔と通孔に挿入して固定するもので、主体台の背面にはフック部材を設置し、フック部材は、主体部と主体部上端から延びて槽板と相互に掛合するフック部を含み、前記主体部には固定柱を設置し、前記固定柱は固定孔、通孔に挿入して主体台と掛合して共に設置することを特徴とする請求項１記載の多種球技ボールの収納装飾ラック。
【考案の詳細な説明】
【技術分野】
【０００１】
本考案は、体育用品の領域技術に関するもので、特に多種球技ボールの収納装飾ラックに係る。
【背景技術】
【０００２】
社会経済の発展に伴い、幅広い社会生活の品質は常に向上しており、人々は体育鍛錬を益々重視し、多くの家庭には多種類の球技ボールが置かれている。
【考案の概要】
【考案が解決しようとする課題】
【０００３】
しかしながら、現在のところ、これらボールの収納装飾効果を有する器具はなく、人々は適当に地面置くしかないため、ボールが転がって思わぬアクシデントを起こしてしまうこともあり、また空間を占めるという問題点がある。
【課題を解決するための手段】
【０００４】
本考案は、ボールを収納ラックに置くことで、ボールが転がって思わぬ事故を起こす危険を回避し、更に空間を節約する多種球技ボールの収納装飾ラックを提供し、現在の技術的課題を解決する。
【０００５】
上述の目的を実現するため、本考案は以下の技術を採用する。
【０００６】
多種球技ボールの収納装飾ラックは、主体台と支持部材を含む。支持部材の一端は、主体台上に設置し、支持部材の別一端は、外向きに延び、支持部材と主体台の間はボールを置くためのボール受け空間を形成する。
【０００７】
優良な形態として、主体台の側面は設置槽を凹設し、支持部材は設置部と支持部を含む。設置部は設置槽内に挿入して共に固定する。主体台は固定孔を穿設し、設置部は通孔を穿設し、ネジを固定孔と通孔に挿入して固定する。主体台の背面にはフック部材を設置する。フック部材は主体部と主体部上端で延びる槽板と相互に掛合するフック部を含む。主体部には固定柱を設置し、固定柱は固定孔、通孔に挿入し、主体台と掛合して共に設置する。
【０００８】
本考案は従来の技術と比較することで、明らかな長所と効果を備えることが具体的に、上述によって理解することができる。
【０００９】
支持部材の一端を主体台上に設置し、支持部材の別一端は外向きに延びることで、支持部材と主体台の間はボールを置くためのボール受け空間を形成され、ボール受け空間にバスケットボール、バレーボール及びサッカーボール等を置く。ボールをボール受け空間内に収納することによって、地面にボールが置かれることで空間を占有される問題とボールが勝手に転がってしまう問題を解決し、環境も更に整う。本考案は各種材質の壁面に適用し、様々な簡易方法で設置し、フック部材と槽板で掛合設置、もしくはネジで壁面に固定する。ボールを固定位置に置くことで、次回使用するのに便利であり、ボールが転がって思わぬアクシデントが起こる問題を解決する。
【００１０】
本考案の構造特徴と効果を詳細に説明するため、以下に具体的な実施形態を挙げながら図式と共に詳細に説明する。
【図面の簡単な説明】
【００１１】
【図１】本考案の良好な実施形態で構造立体指示図である。
【図２】本考案の良好な実施形態で別一角度の構造立体指示図である。
【図３】本考案の良好な実施形態の分解図である。
【図４】本考案の良好な実施形態で木板面に設置する断面図である。
【図５】本考案の良好な実施形態で壁面に設置する断面図である。
【図６】本考案の良好な実施形態で槽板に設置する断面図である。
【考案を実施するための形態】
【００１２】
（一実施形態）
図１から図６に示すとおり、本考案の良好な実施形態の具体的構造として、主体台１０及び支持部材２０を含む。
【００１３】
支持部材２０の一端は主体台１０上に設置し、支持部材２０の別一端は、外向きに延びる。具体的に説明すると、主体台１０の側面は設置槽１０１を凹設し、支持部材２０は設置部２１と支持部２２を含む。設置部２１は設置槽１０１内に挿入して固定する。支持部材２０と主体台１０の間はボールを置くためのボール受け空間２０１を形成し、ボール受け空間２０１はバスケットボール、バレーボール、サッカーボール等を置くのに用いる。ボール受け空間２０１にボールを置くことで、ボールが転がって思わぬアクシデントが起こる問題を解決し、空間も節約する。主体台１０は、固定孔１０２を穿設し、設置部２１には通孔２１１を穿設し、ネジ４０で固定孔１０２と通孔２１１に挿入して当品を固定する。当品を木板面５０もしくは軟質材上に固定する時、ネジ４０で直接固定する（例として図４参照）。当品を壁面６０もしくは硬質材上に固定する時、先ず壁面上に穿孔し、孔内にゴム栓７０を挿入し、ネジ４０でそこに固定する(例として図５参照）。
【００１４】
主体台１０の背面には、フック部材３０を設置する。フック部材３０は主体部３１と主体部３１上端で延びて槽板６０と相互に掛合するフック部３２を含む。主体部３１上には固定柱３３を設置し、固定柱３３は固定孔１０２、通孔２１１に挿入して主体台１０と共に掛合する。フック部材３０によって槽板８０上に直接設置するので（図６参照）、簡単で実用的である。
【００１５】
本考案のデザインの重点は以下のとおりである。
【００１６】
支持部材の一端を主体台上に設置することによって、支持部材の別一端は、外向きに延びる。支持部材と主体台の間はボールを置くためのボール受け空間を形成する。ボール受け空間にバスケットボール、バレーボール及びサッカーボール等を置く。ボールをボール受け空間内に収納することによって、地面にボールが置かれることで空間を占有される問題とボールが勝手に転がってしまう問題を解決し、環境も更に整う。本考案は各種材質の壁面上に適用し、様々な方法で設置する。フック部材と槽板で掛合設置したり、もしくはネジで壁面に固定したりすることで、ボールを固定位置に収納する。更に次回使用する時にも便利であり、同時にボールが転がることで思わぬアクシデントを回避する。
【００１７】
以上は、本考案の良好な実施形態に過ぎず、本考案の技術範囲を制限するものではない。故に本考案の技術において、以上の実施形態に基づく如何なる細かな修正及び同等の変化及び修飾は、すべて本考案の請求範囲に含まれるものとする。
【符号の説明】
【００１８】
１０        主体台、
１０１        設置槽、
１０２      固定孔、
２０        支持部材、
２０１        ボール受け空間、
２１        設置部、
２１１        通孔、
２２        支持部、
３０        フック部材、
３１        主体部、
３２        フック部、
３３        固定柱、
４０        ネジ、
５０        木板面、
６０        壁面、
７０        ゴム栓、
８０        槽板。
【図１】
0003215677.tif 000003
【図２】
0003215677.tif 000004
【図３】
0003215677.tif 000005
【図４】
0003215677.tif 000006
【図５】
0003215677.tif 000007
【図６】
0003215677.tif 000008